(57)【要約】第１及び第２のセンサ開口部（５８）を有するグランド組立品（５０）と、シャフトの周囲に配置され、且つグランド組立品内に配置されたスリーブ組立品（６０）と、を備えるメカニカルシール組立品（１０）。第１のＲＦＩＤセンサ（８０）が第１のセンサ開口部（５８）内に配置され、第２のＲＦＩＤセンサ（８２）が第２のセンサ開口部（５８）内に配置されており、第１のＲＦＩＤセンサは高周波数ＲＦＩＤセンサであり、第２のＲＦＩＤセンサは超高周波数ＲＦＩＤセンサである。
2022500608.tif 000002
【特許請求の範囲】
【請求項１】
メカニカルシール組立品であって、
複数のセンサ開口部が形成されたハウジングを有し、前記複数のセンサ開口部は第１のセンサ開口部及び第２のセンサ開口部を含む、グランド組立品と、
シャフトの周囲に配置され、且つ前記グランド組立品内に配置された、スリーブ組立品と、
前記スリーブ組立品に回転可能に結合された、回転シールリングと、
前記回転シールリングと動作可能に接触するように配置されて、前記回転シールリングとの間にシールを形成する、静止シールリングと、
前記第１のセンサ開口部内に配置された前記第１のセンサ及び前記第２のセンサ開口部内に配置された、第２のセンサと、
を備える、メカニカルシール組立品。
【請求項２】
前記第１のセンサ及び前記第２のセンサはＲＦＩＤセンサである、請求項１に記載のメカニカルシール組立品。
【請求項３】
前記第１のセンサは高周波数ＲＦＩＤセンサである、請求項２に記載のメカニカルシール組立品。
【請求項４】
前記第２のセンサは超高周波数ＲＦＩＤセンサである、請求項３に記載のメカニカルシール組立品。
【請求項５】
前記第１のセンサ開口部及び前記第２のセンサ開口部は互いに隣接している、請求項４に記載のメカニカルシール組立品。
【請求項６】
前記第１のセンサ開口部及び前記第２のセンサ開口部は互いから周方向に分離している、請求項４に記載のメカニカルシール組立品。
【請求項７】
前記第１のセンサ及び前記第２のセンサは熱可塑性材料で被覆されている、請求項４に記載のメカニカルシール組立品。
【請求項８】
前記熱可塑性材料はポリエーテルエーテルケトン（ＰＥＥＫ）材料である、請求項７に記載のメカニカルシール組立品。
【請求項９】
前記第１のセンサ及び前記第２のセンサは、無線周波数識別（ＲＦＩＤ）センサ、温度センサ、圧力センサ、運動センサ及び湿度センサのうちの１つ以上を含み得る、請求項１に記載のメカニカルシール組立品。
【請求項１０】
メカニカルシール組立品であって、
複数のセンサ開口部が形成されたハウジングを有し、前記複数のセンサ開口部は第１のセンサ開口部及び第２のセンサ開口部を含む、グランド組立品と、
シャフトの周囲に配置され、且つ前記グランド組立品内に配置された、スリーブ組立品と、
前記第１のセンサ開口部内に配置された第１のＲＦＩＤセンサ及び前記第２のセンサ開口部内に配置された第２のＲＦＩＤセンサと、
を備え、
前記第１のＲＦＩＤセンサは高周波数ＲＦＩＤセンサであり、前記第２のＲＦＩＤセンサは超高周波数ＲＦＩＤセンサである、
メカニカルシール組立品。
【発明の詳細な説明】
【技術分野】
【０００１】
関連出願
本発明は、その内容を引用して本明細書に援用する２０１８年９月２７日付けの「ＭＥＣＨＡＮＩＣＡＬ  ＳＥＡＬ  ＷＩＴＨ  ＩＮＴＥＧＲＡＴＥＤ  ＲＦＩＤ  ＳＥＮＳＯＲ」と題する米国特許仮出願第６２／７３７，６２３号の優先権を主張する。
【０００２】
発明の分野
本発明は、固定ハウジング構成要素に対してシャフト又はロッドを密封するためのメカニカルシール組立品に関する。本発明は、一般にメカニカルシールに関し、より詳細には、センサを使用するメカニカルシールに関する。
【背景技術】
【０００３】
発明の背景
従来のメカニカルシール組立品は、流体密シールを提供するために、例えば機械装置における多種多様な環境及び設定において使用されてきた。通常、こうした密封組立品は、固定機械ハウジング内に取り付けられ且つそのハウジングから突出する回転シャフト又はロッドの周囲に設けられる。
【０００４】
分割メカニカルシールを含む従来のメカニカルシールは、圧密且つ流体密シールを提供するために、多種多様な機械的装置で使用されている。通常、こうしたメカニカルシールは、固定ハウジング内に取り付けられ且つそのハウジングから突出する回転シャフトの周囲に設けられる。メカニカルシール組立品は、通常はシャフトの出口でハウジングの外側にボルト止めされており、よって加圧プロセス流体がハウジングから流出するのを防いでいる。典型的なメカニカルシールは面型（原語：ｆａｃｅ−ｔｙｐｅ）メカニカルシールを含むが、この面型メカニカルシールには、シャフトの周囲に同心状に配置されると共に、軸方向に互いから離間された一対の密封リングが含まれる。各密封リングは、付勢クリップ又はばねを含む従来の付勢機構によって互いに密封接触するように付勢された密封面を備えている。通常は、１つのシールリングが静止状態を維持し（即ち、静止シールリング）、他方のシールリングがシャフトに固定され且つ一体的に回転する（即ち、回転シールリング）。このメカニカルシールは、シールリングの密封面を互いに密封接触するように付勢することによって、加圧プロセス流体が外部環境に漏れ出すのを防ぐ。通常、回転シールリングは、機器シャフトの周囲に同心状に配置されたホルダ又はスリーブ組立品内に取り付けられる。同様に、グランド組立品は、中実であっても、又はねじで互いに固定した一対のグランド半割れを備えてもよい。静止シール要素は、典型的にはグランド組立品内に取り付けられる。
【０００５】
メカニカルシールの維持に関わる共通の問題として、メカニカルシールは、保守人員によるアクセスの困難な場所に取り付けられる場合が多い。更に、商業施設や産業施設では、多数のメカニカルシールを使用する場合があり、保守人員によるこれらの目視検査には多くの時間を要する。
【発明の概要】
【発明が解決しようとする課題】
【０００６】
発明の概要
本発明の目的は、メカニカルシールであって、メカニカルシールの選択パラメータを感知又は検出するための、例えば無線周波数識別（ｒａｄｉｏ  ｆｒｅｑｕｅｎｃｙ  ｉｄｅｎｔｉｆｉｃａｔｉｏｎ：ＲＦＩＤ）センサなどの１つ以上のセンサを使用したメカニカルシールを提供することである。
【課題を解決するための手段】
【０００７】
本発明は、同じ又は異なる周波数で動作する、例えばＲＦＩＤセンサなどの複数のセンサを使用したメカニカルシール組立品に関する。これらのセンサは、低周波数領域又は高周波数領域のうちの１つ以上、あるいは超高周波数領域の１つ以上の帯域、あるいはこれらの周波数領域の任意の組み合わせで動作することができる。
【０００８】
一実施形態では、本発明のメカニカルシール組立品は、複数のセンサ開口部が形成されたハウジングを有し、複数のセンサ開口部は第１のセンサ開口部及び第２のセンサ開口部を含む、グランド組立品と、シャフトの周囲に配置され、且つグランド組立品内に配置された、スリーブ組立品と、スリーブ組立品に回転可能に結合された回転シールリングと、回転シールリングと動作可能に接触するように配置されて回転シールリングとの間にシールを形成する、静止シールリングと、第１のセンサ開口部内に配置された第１のセンサ及び第２のセンサ開口部内に配置された第２のセンサと、を備える。好適な一実施形態では、第１及び第２のセンサはＲＦＩＤセンサである。
【０００９】
第１のセンサ及び第２のセンサは、無線周波数識別（ＲＦＩＤ）センサ、温度センサ、圧力センサ、運動センサ及び湿度センサを含んでもよい。好適な一実施形態では、第１のセンサは高周波数ＲＦＩＤセンサであり、第２のセンサは超高周波数ＲＦＩＤセンサである。更に、第１のセンサ開口部及び第２のセンサ開口部は、互いに隣接していてもよいが、互いから周方向に分離又は離間していてもよい。
【００１０】
更に、第１のセンサ及び第２のセンサは、例えばポリエーテルエーテルケトン（ｐｏｌｙｅｔｈｅｒ  ｅｔｈｅｒ  ｋｅｔｏｎｅ：ＰＥＥＫ）材料などの熱可塑性材料で被覆されていてもよい。
【００１１】
本発明は更に、メカニカルシール組立品であって、複数のセンサ開口部が形成されたハウジングを有し、複数のセンサ開口部が第１のセンサ開口部及び第２のセンサ開口部を含む、グランド組立品と、シャフトの周囲に配置され、且つグランド組立品内に配置された、スリーブ組立品と、第１のセンサ開口部内に配置された第１のＲＦＩＤセンサ及び第２のセンサ開口部内に配置された第２のＲＦＩＤセンサと、を備え、第１のＲＦＩＤセンサは高周波数ＲＦＩＤセンサであり、第２のＲＦＩＤセンサは超高周波数ＲＦＩＤセンサである、メカニカルシール組立品に関する。
【図面の簡単な説明】
【００１２】
本発明のこれらの及びその他の特徴及び利点は、次の詳細な説明と添付の図面とを組み合わせて参照することでより完全に理解されるはずであり、図面の中の類似した参照記号は、これら複数図面を通して類似の部材を指す。これら図面は、本発明の原理を表すもので、縮尺は一定ではないが、相対的寸法を示す。
【図１】図１は、本発明の教示による、複数のセンサをグランド組立品内に取り付けるメカニカルシール組立品の斜視図である。
【図２】図２は、本発明の教示による、図１のメカニカルシール組立品の断面図である。
【図３】図３は、本発明の教示による、図１のメカニカルシール組立品のセンサ位置を図示した上部半透明斜視図である。
【図４】図４は、本発明の教示による、異なる位置に取り付けられた複数のセンサを図示した、メカニカルシール組立品の第２の実施形態の上部半透明斜視図である。
【発明を実施するための形態】
【００１３】
本発明は、回転シャフト又は他の適切な装置における密封を実現するためのメカニカルシール組立品を提供する。図示した実施形態に関連して本発明を以下の記載で説明する。当業者であれば、本発明は、多数の異なる応用例及び実施形態で実現可能であり、その使用は本明細書に記載した特定の実施形態に特に限定されないことは理解するはずである。
【００１４】
本開示で使用する「シール組立品」及び「密封組立品」という用語は、シングルシール、分割シール、同心シール、螺旋シール、及び他のタイプの既知のシール及び密封組立品及び構成品を含む様々なタイプの密封組立品を含むことを意図している。
【００１５】
「シャフト」という用語は、機械システムにおいてシールを取り付け可能な任意適切な装置を指すことを意図し、軸、ロッド、及び他の既知の装置を含む。
【００１６】
本明細書で用いる「軸方向の」及び「軸方向に」という用語は、シャフトの軸に概ね平行な方向を示す。本明細書で用いる「半径方向の」及び「半径方向に」という用語は、シャフトの軸に概ね直角な方向を示す。「流体」及び「複数の流体」という用語は、液体、気体、及びそれらの組み合わせを指す。
【００１７】
本明細書で用いる「軸方向内側」という用語は、シール組立品を使用する機械システムの近位に配置された固定装置及びシール組立品の部分を示す。反対に、本明細書で用いる「軸方向外側」という用語は、その機械システムから遠位の固定装置及びシール組立品の部分を示す。
【００１８】
本明細書で用いる「半径方向内側」という用語は、シャフトに近位のシール組立品の部分を示す。反対に、本明細書で「半径方向外側」という用語は、そのシャフトから遠位のシール組立品の部分を示す。
【００１９】
本明細書で用いる「固定装置」及び／又は「静止面」という用語は、グランドを有するシールが固定されるシャフト又はロッドを収容する任意適切な固定構造体を含むことを意図する。当業者であれば、グランド組立品がメカニカルシールの部分又は固定装置の部分を形成してもよいことも理解するはずである。
【００２０】
本発明の例示的な実施形態のメカニカルシール組立品は、該メカニカルシール組立品内の選択位置に回転密封部材を取り付け且つ保持するための改良型回転シールリングホルダ又はスリーブ、並びに／あるいは該メカニカルシール組立品の固定部材を固定装置に接続するための改良型グランド組立品、並びに／あるいは固定装置内のプロセス流体を密封するための改良型シールリングを用いることができる。
【００２１】
図１乃至３は、本発明の第１の実施形態によるメカニカルシール組立品１０を示す。メカニカルシール組立品１０は、第１軸１２に沿って延伸するシャフト（図示せず）の周りに好適には同心円状に配置されると共に、ポンプ又は他の機械的装置のような固定装置の外側壁に固定されている。シャフトは、少なくとも部分的にはハウジング内部に又はハウジングに隣接して取り付けることができる。メカニカルシール組立品１０は流体密シールを形成するように構成することができ、従ってプロセス媒体（例えば流体）が固定装置から逃げ出すのを防止する。流体密シールは、一対のシールリング２０及び３０として図示する密封部材で達成される。これら図示のシールリングは、互いに動作可能に密封接触するように配置されてその間にシールを形成する第１すなわち回転シールリング２０と第２すなわち固定シールリング３０とを含む。各シールリング２０及び３０はそれぞれ、１つ以上の付勢リング４２及び複数の付勢ばね４４を含み得る付勢組立品４０によって相互に密封接触するよう付勢されている滑らかな弓形密封表面を備える。シールリング２０及び３０は、中実であっても、又はメカニカルシール組立品の取り付けを容易にするために一対のシールリング区分にそれぞれ分割されてもよい。シールリング２０、３０の密封表面は、広範囲の動作条件で動作可能な流体密シールを実現する。
【００２２】
メカニカルシール組立品１０は、グランド組立品５０と、グランド組立品５０内に着座するホルダ又はスリーブ組立品６０とを更に含むことができる。スリーブ組立品６０は、任意選択の形状又は外形を有してもよく、図示の実施形態では、シャフトの周囲に配置され、且つこれに回転可能に結合されたスリーブとして形成されている。スリーブ組立品は、グランド組立品によって形成される内部空間内に配置されている。スリーブ組立品６０は、スリーブ部分６４と、回転シールリング２０を収容し且つ保持するための空間を画定するフランジ部分６２とを有する。スリーブ組立品６０上に、１つ以上のシール要素を着座させるための任意選択の数の溝が形成されていてもよい。例えば、スリーブ組立品６０は、固定装置内のプロセス流体を密封するために、シール要素１１６、１１８を対応する溝内に着座させる。
【００２３】
図示のメカニカルシール組立品１０は、シールリング２０、３０とグランド組立品５０との間に取り付けられたキャリア要素９０を更に含むことができる。キャリア要素は、第１の軸１２に沿って軸方向に移動するように構成されており、固定装置内のプロセス流体を大気から密封するためのＯリングとして形成された複数のシール要素９２を着座させる。平らなガスケット要素９４が、キャリア要素９０内に形成された対応する溝内に着座され、キャリア９０を固定装置に対して密封する。キャリア要素９０は更に、キャリア内の溝内に配置され且つスリーブ部分６４と対面又は接触する制限ブッシングを取り付けることができる。
【００２４】
メカニカルシール組立品１０は、スリーブ組立品６０のスリーブ部分６４の軸方向外方部分に結合されたロックリング１００を更に含む。ロックリング１００は、スリーブ組立品６０及び関連するシールリング２０、３０をメカニカルシール内でロックする役割を果たす。複数のスペーシング要素１１０を、ロックリング１００内に形成された溝と嵌合させて、スリーブ組立品６０、シールリング２０、３０及びキャリア要素９０などの選択要素をメカニカルシール組立品１０内で位置決めするために使用してもよい。スペーシング要素を、シール使用中に回転又は旋回してロックリングから離れるように構成してもよい。スペーシング要素は、その内容を引用して本明細書に援用する米国特許第６，９３５，６３２号に記載されている。スリーブ組立品６０は、スリーブ組立品６０、ひいてはシールリング２０、３０をシャフトに対してセンタリングするための複数のセンタリング要素１０２を更に含むことができる。
【００２５】
グランド組立品５０及びスリーブ組立品６０は、中実であっても、又はメカニカルシール組立品の組み立て及び取り付けを容易にするために一対の弓形区分に分割されてもよい。図示のグランド組立品５０は、複数のボルト開口部５４が形成された外部ハウジング部分５２を有する一般的なハウジングを有する。ボルト開口部５４は、グランド組立品５０、ひいてはメカニカルシール組立品１０を固定装置に固定するボルト（図示せず）を着座させるように構成されている。グランド組立品５０は更に、グランドの内側領域、ひいてはシールと外部から供給される流体との間の流通を可能にするための、グランドハウジングの内表面と外表面との間に形成された１つ以上の流体開口部を有してもよい。流体開口部５６は、このように、固定装置内のプロセス流体と、外部環境又は流体開口部に結合可能な外部流体源との間の流通を可能にする。流体開口部５６を、バリア又はフラッシング流体などの選択流体を受け入れるように構成してもよい。
【００２６】
外部ハウジング部分５２は、それぞれセンサ８０、８２を取り付けるための大きさ及び構成の１つ以上、好適には一対のセンサ開口部５８を更に含む。センサ開口部は、任意選択の形状を有してもよく、軸１２に対して垂直であっても、又は軸１２に対して傾斜しているか若しくは横向きであってもよい。センサ８０、８２は、無線周波数識別（ＲＦＩＤ）センサ、温度センサ、圧力センサ、運動センサ、湿度センサなどの任意選択の種類のセンサであってもよい。一実施形態では、センサはＲＦＩＤセンサであるか、又は、無線周波により作動され、従ってＲＦＩＤセンサとして動作且つ機能する別の種類のセンサであってもよい。ＲＦＩＤセンサ８０、８２は、タグと関連付けられた識別情報を格納することができ、従って、特定のメカニカルシール組立品１０、ひいては固定装置の位置を識別するために使用可能である。これらのセンサに、システム要件及びユーザ要件に基づいて任意選択の種類の情報が格納されてもよい。ＲＦＩＤセンサ８０、８２は、読取り専用センサ、読取り／書込みセンサ、又はこれらの組み合わせであってもよい。本発明での使用に適したＲＦＩＤセンサの好適な一例は、米国のＩｎｆｏｃｈｉｐ社により製造販売されている。更に、ＲＦＩＤセンサは、ローカル電源を含まず、代わりにＲＦＩＤリーダの電磁エネルギーに依存する受動型ＲＦＩＤセンサであるか、又はローカル電源を含む能動型ＲＦＩＤセンサであるか、あるいはこれらの組み合わせであってもよい。ＲＦＩＤセンサは、当業で知られているように、ＲＦＩＤリーダと接続されて動作するように構成されている。
【００２７】
センサ開口部５８を、メカニカルシールの種類及び具体的な顧客用途に基づいて、グランド組立品５０の外部グランドハウジング部分５２の選択位置に形成してもよい。例えば、センサ開口部を、取り付け後のシール及びセンサへのアクセス性と、設置時のセンサ信号のロバスト性とに基づいて、メカニカルシール組立品内に配置してもよい。好適な一実施形態では、グランド組立品５０が一対のセンサ開口部５８、５８を有してもよく、またセンサ開口部は、グランド内の任意選択の位置に形成することができ、好適には互いに隣接して形成される、図３。図４は、開口部が互いから空間的に分離されるように、センサ８０、８２がグランド組立品５０の外部ハウジング部分５２の周方向に異なる位置に取り付けられた、本発明の第２の実施形態を図示している。グランド組立品５０は更に、グランド、ひいてはシールの内側領域と外部から供給される流体との間の流通を可能にするための、グランドハウジングの内表面と外表面との間に形成された１つ以上の流体開口部を有してもよい。流体開口部５６は、このように、固定装置内のプロセス流体と、外部環境又は流体開口部に結合可能な外部流体源との間の流通を可能にする。流体開口部５６を、バリア又はフラッシング流体などの選択流体を受け入れるように構成してもよい。当業者であれば、センサをグランド組立品５０内以外の場所に取り付けてもよいことを容易に理解するはずである。例えば、センサを、グランド組立品の内側の、スリーブ組立品、シールリング、キャリア、ロックリングなどの別のシール構成要素に隣接した部分に取り付けるか、あるいはこれらの別のシール構成要素の上又は中に取り付けてもよい。当業者であれば、本明細書の教示に基づいて、任意の好適な数のセンサをメカニカルシール組立品と組み合わせて採用できることを理解するはずである。
【００２８】
ＲＦＩＤセンサ８０、８２を、センサを外部環境から保護するために任意選択の材料で被覆してもよい。一実施形態では、センサ８０、８２はそれぞれ、熱可塑性材料などの可塑性材料で被覆することができる。そのような材料の１つが、ポリエーテルエーテルケトン（ＰＥＥＫ）材料であってもよい。材料が、化学的適合性、最適なセンサ設置及び全体としての機械的ロバスト性を実現できるように選択されてもよい。
【００２９】
センサ８０、８２を、選択された波長又は周波数で放射又は動作を行うように構成してもよく、２つ以上のセンサがメカニカルシール組立品１０のグランド組立品５０内に取り付けられている場合には、これらのセンサは好適には、低周波数（例えば約１２０ＫＨｚ〜１４０ＫＨｚ）、高周波数、及び／又は超高周波数、あるいはこれらの組み合わせなどの異なる周波数で放射を行う。例えば、一実施形態では、１つのＲＦＩＤセンサ８０が高周波数（例えば約１２〜１５ＭＨｚ）で放射を行い、他方のセンサが超高周波数（例えば約８５０〜９６０ＭＨｚ又は約２．４〜２．５ＧＨｚ）で放射を行ってもよい。別の一実施形態では、これらのセンサは、同じ周波数で動作しても、又は低周波数、高周波数、及び超高周波数領域内の異なる周波数領域で動作してもよい。
【００３０】
ＲＦＩＤセンサ８０、８２を、摩擦嵌め又は圧入技術を含めた既知の技術を使用してセンサ開口部５８、５８内に配置及び固定してもよく、あるいは接着剤を使用してこれらの中に固定してもよい。
【００３１】
上述のように、メカニカルシールのグランド内に形成されたセンサ開口部を、メカニカルシールの種類に応じて選択された角度で傾斜させるか又は角度付けしてもよい。センサ開口部の位置を、シールの向きの組み合わせを最適化又は補完するように選択してもよい。メカニカルシールは更に、ＲＦＩＤ型センサの開放端挿入を可能にすると同時にセンサの意図しない飛び出しを防止する、特殊な設計のスロット深さ及び開口部直径を有してもよい。
【００３２】
ＲＦＩＤセンサを、シールの動作環境と化学的に適合性であることによって適切なレベルの化学的ロバスト性を発揮するように選択してもよい。こうすることで、ＲＦＩＤ型センサを、センサによって送受信される無線周波信号に悪影響を及ぼしたり、これらと干渉したりすることなく、多種多様なメカニカルシールに開放端形式で使用且つ設置することが可能となる。この結果、センサ信号の比較的容易な読み取りが可能となり、また信号のより遠距離での有害な干渉を受けない読み取りが可能となる。更なる利点として、ＲＦＩＤセンサは、操作者が動作中の、従って危険を伴う機器に接近することを必要とせずに、ＲＦＩＤセンサから信号を取得することを可能にする。
【００３３】
本発明で説明するメカニカルシール組立品１０のいくつかの構成要素は、その内容を引用して本明細書に援用する、本願の譲受人に譲渡された米国特許第５，５７１，２６８号、同第７，７０８，２８３号及び同第１０，３５２，４５７号に記載のメカニカルシール組立品と同様である。本発明のメカニカルシール組立品は、図示の中実シール、分割シール、螺旋シール、タンデムシール、カートリッジシール、ＥＰＳシール、平衡型シール、不平衡型シール、プッシャシール、ラビリンスシール、面シール、液圧シール、空圧シールなどを含めた任意の種類のメカニカルシールを含み得るメカニカルシールを含む。
【特許文献１】米国特許第5571268号公報
【特許文献２】米国特許第7708283号公報
【特許文献３】米国特許第10352457号公報
【００３４】
従って、本発明は、これまでの記載から明らかとなった目的に含まれる、既に記載した目的を有効に達成することが分かるはずである。本発明の範囲を逸脱することなく上記の構成に対して一定の変更を施すことが可能であるから、この説明に含まれ或いは添付の図面に示された事項全ては、例示的なものとして解釈されるべきであり、限定的な意味で解釈されるべきではない。
【００３５】
更に、以下の特許請求の範囲は、ここに説明された本発明の全ての一般的特徴と具体的特徴とを網羅するものであり、また言語上本発明の範囲に含まれると言うことができる全ての言明をも網羅する。
【００３６】
本発明を説明してきたが、新規なものと主張し特許証による保護を望むものは以下の通りである。
【図１】
2022500608.tif 000003
【図２】
2022500608.tif 000004
【図３】
2022500608.tif 000005
【図４】
2022500608.tif 000006
【国際調査報告】
2022500608.tif 000007
2022500608.tif 000008
2022500608.tif 000009